(57)【特許請求の範囲】
【請求項１】
毛染め剤用送り出しシステムであって、
（ａ）過酸化水素からなる第１材料を保持するための第１容器と、
（ｂ）第２材料を保持するための第２容器（６６）とを備え、該第２容器（６６）を前記第１容器に流体連通させて前記第２材料を前記第１材料に添加することによって前記第１容器内に流動性調合剤を形成することができ、さらに、
（ｃ）放出される前記流動性調合剤の総てを、いずれの向きでも、前記第１容器から放出できるようにするために、圧力差を機械的に発生するユーザ作動式手段を備え、
前記第１容器は、タンク（１０）と、該タンクに流体連通したオリフィスとを含み、該オリフィスは、最初は前記第２材料用の入口として機能し、その後は前記流動性調合剤用の出口として機能し、
前記タンク（１０）は、前記第１容器の外側変形可能層（１２）から区別された内側コラプス型層（２６）を有し、
前記内側コラプス型層（２６）は、撓みバッグ（２４）からなり、
前記オリフィスは、前記第１容器のネック（１４）に嵌め込まれた差込み具（４０）を貫通しており、
前記差込み具（４０）は、前記オリフィスを設けた管状部材（４２）を包囲する環状チャネル（５６）を有し、該環状チャネル（５６）は、前記内側コラプス型層（２６）および前記外側変形可能層（１２）間の緩衝領域（３２）に空気連通しており、さらに、
（ｄ）前記第１材料が逃げるのを防止するためのプラグシール（６０）を有する前記第１容器用の取り外し式キャップ（５８）を備え、該取り外し式キャップ（５８）は、前記第１容器の前記ネック（１４）上の雄ねじ（１６）に通気可能にねじ付けられ、前記環状チャネル（５６）から大気に通じる空気路を形成する雌ねじ（６４）を有する、毛染め剤用送り出しシステム。
【請求項２】
前記第１容器は、少なくとも一部が透明材料製である請求項１記載の毛染め剤用送り出しシステム。
【請求項３】
前記第１容器は、少なくとも一部が弾性変形可能なプラスチック材料製である請求項１または２記載の毛染め剤用送り出しシステム。
【請求項４】
前記管状部材（４２）は、前記第１容器の前記ネック（１４）を越えて前記第１容器の前記タンク（１０）内へ延出している請求項１記載の毛染め剤用送り出しシステム。
【請求項５】
前記管状部材（４２）の、前記タンク（１０）内にある部分は、前記差込み具（４０）に固定された支持チューブ（３４）の形をしており、該チューブ（３４）は、横断面で開いて、前記撓みバッグ（２４）が収縮する間、前記流動性調合剤が通ることができる少なくともある程度は剛直なチャネルを形成している請求項１または４記載の毛染め剤用送り出しシステム。
【請求項６】
前記支持チューブ（３４）は、充分な長さを有し、前記支持チューブ（３４）の、前記差込み具（４０）から遠い自由端部（３８）が、前記撓みバッグ（２４）の、前記第１容器の前記ネック（１４）から遠い自由端部（３０）に近接しているが、接触していない請求項５記載の毛染め剤用送り出しシステム。
【請求項７】
前記差込み具（４０）は、前記第１容器の前記ネック（１４）に締まりばめされる請求項１または請求項４乃至６の内のいずれか１項記載の毛染め剤用送り出しシステム。
【請求項８】
前記第２容器（６６）を前記第１容器に流体連通させようとする時まで、前記取り外し式キャップ（５８）の前記プラグシール（６０）が前記オリフィスを密閉状に閉鎖する請求項１または請求項４乃至７の内のいずれか１項記載の毛染め剤用送り出しシステム。
【請求項９】
前記第１容器からの前記流動性調合剤の放出を容易にするために、アプリケータ（７２，１０６，１１４）を前記第１容器に固定する請求項１乃至８の内のいずれか１項記載の毛染め剤用送り出しシステム。
【請求項１０】
前記アプリケータは、前記第１容器の前記内側コラプス型層（２６）の外側の位置への空気の流入、および前記第１容器の前記内側コラプス型層の内側の位置からの前記流動性調合剤の流出の両方を制御することができる一体構造の弁部材（９４）を含む請求項１または９記載の毛染め剤用送り出しシステム。
【請求項１１】
前記弁部材（９４）の出口部分は、四ローブ形弁（９８）を有する請求項１０記載の毛染め剤用送り出しシステム。
【請求項１２】
前記弁部材（９４）の入口部分は、フラップ弁（９６）を有する請求項１０または１１記載の毛染め剤用送り出しシステム。
【請求項１３】
前記フラップ弁（９６）は、前記四ローブ形弁（９８）を包囲する環状の形状を有する請求項１１または１２記載の毛染め剤用送り出しシステム。
【請求項１４】
前記アプリケータは、前記流動性調合剤を送り出す単一の細長通路（８６）を有する注ぎ口部（７２）である請求項９乃至１３の内のいずれか１項記載の毛染め剤用送り出しシステム。
【請求項１５】
前記四ローブ形弁（９８）は、前記注ぎ口部（７２）の前記細長通路（８６）に対して押し嵌め込み式である請求項１３または１４記載の毛染め剤用送り出しシステム。
【請求項１６】
前記注ぎ口部（７２）は、前記第１容器に対して直接的または間接的の押し嵌め込み式である請求項１４または１５記載の毛染め剤用送り出しシステム。
【請求項１７】
前記流動性調合剤を送り出す弾性的に圧縮可能な多孔質構造を有する発泡またはスポンジ材料製のアプリケータ（１０６）が、前記注ぎ口部（７２）に対して取り外し可能な押し嵌め付け式であるキャリア（１１０）の一端部またはその付近のパッド（１０８）の形をしている請求項１４乃至１６の内のいずれか１項記載の毛染め剤用送り出しシステム。
【請求項１８】
前記パッド（１０８）は、前記キャリア（１１０）の外周の一部分だけに沿って延在している請求項１７記載の毛染め剤用送り出しシステム。
【請求項１９】
アプリケータ（１１４）が支持体（１３６）から突出した複数の細長パーティング部材を有し、該支持体（１３６）に前記流動性調合剤がハウジング（１１６）から送られ、該ハウジング（１１６）は前記注ぎ口部（７２）に被せて配置可能であると共に、前記第１容器に取り外し可能に固定可能である請求項１４乃至１８の内のいずれか１項記載の毛染め剤用送り出しシステム。
【請求項２０】
前記ハウジング（１３６）は、前記ハウジング（１３６）が前記注ぎ口部（７２）に被せて配置されている時に、前記注ぎ口部（７２）の自由端部を受け取るガイド管（１２６）を有する請求項１９記載の毛染め剤用送り出しシステム。
【請求項２１】
前記細長パーティング部材の各々は、相当に剛直な歯（１４４）の形をしている請求項１９または２０記載の毛染め剤用送り出しシステム。
【請求項２２】
前記歯（１４４）は、少なくとも１列に配置されており、前記歯（１４４）の各々の自由端部に少なくとも１つの出口（１４６）が設けられている請求項２１記載の毛染め剤用送り出しシステム。
【請求項２３】
前記細長パーティング部材および前記支持体（１３６）は、前記ハウジング（１１６）から取り外し可能に分離可能である請求項１９乃至２２の内のいずれか１項記載の毛染め剤用送り出しシステム。
【請求項２４】
前記細長パーティング部材および前記支持体（１３６）は、キャッチ（１３８）を含む固定手段によって前記ハウジング（１１６）に固定可能であるユニット（１１８）として形成されている請求項２３記載の毛染め剤用送り出しシステム。
【請求項２５】
前記キャッチ（１３８）は、弾性的に撓み可能であると共に、前記ハウジング（１１６）に貫設された開口（１２０）に係合可能であって、前記キャッチ（１３８）は、前記細長パーティング部材から遠い位置で解放可能である請求項２４記載の毛染め剤用送り出しシステム。
【請求項２６】
ピボットとして機能するさらなるキャッチ（１４０）を備えた請求項２５記載の毛染め剤用送り出しシステム。
【請求項２７】
複数の支持体を設けて、該複数の支持体から１つをユーザが選択することができ、異なった支持体の前記細長パーティング部材は、異なったタイプのものである請求項２３乃至２６の内のいずれか１項記載の毛染め剤用送り出しシステム。
【請求項２８】
前記ハウジング（１１６）は、前記第１容器に対して取り外し可能なねじ付け式である請求項１９乃至２７の内のいずれか１項記載の毛染め剤用送り出しシステム。
【請求項２９】
前記ハウジング（１１６）および前記第１容器に、前記ハウジング（１１６）を前記第１容器に完全にねじ付けた時に、互いにスナップ式に嵌まり合うラグ手段（１８，１３４）が形成されている請求項２８記載の毛染め剤用送り出しシステム。
【請求項３０】
前記流動性調合剤は、ユーザの毛髪または頭皮に塗布するためのものである請求項１乃至２９の内のいずれか１項記載の毛染め剤用送り出しシステム。
【請求項３１】
複数の前記第２容器（６６）を設けて、該複数の第２容器（６６）から１つをユーザが選択することができる請求項１乃至３０の内のいずれか１項記載の毛染め剤用送り出しシステム。
【請求項３２】
前記第２容器の各々は、異なった色調の毛染め液を含む請求項３１記載の毛染め剤用送り出しシステム。
【発明の詳細な説明】
【０００１】
本発明は、毛染め剤用送り出しシステムに関し、特に、時間効率が良く、制御され且つ汚れないような状態で毛髪および頭皮の両方またはいずれか一方に、毛髪および頭皮の両方またはいずれか一方の調合剤を塗布するのに使用される毛染め剤用送り出しシステムに関するものであるが、これに限定されるものではない。
【０００２】
毛染め処理では、毛染め液（ｃｏｌｏｕｒｉｎｇ ｆｌｕｉｄ）の流れを正確に制御できると共に、毛染め液によって着色すべき領域を正確に狙うことができることが望ましいであろう。
【０００３】
また、塗布および操作中の汚れを最小限に抑えることができると共に、毛染め液によって着色すべき領域全体で均一な色分布を達成できることが望ましいであろう。
【０００４】
毛染め液を毛染め処理中のいつでも、いずれの向きでも、送り出すことができるような毛染め剤用送り出しシステムであれば、これらの目的がさらに容易に達成されると考えられる。
【０００５】
米国特許第４，２０９，０２７号は、使用する直前に混合する必要がある２つの材料を使用する毛髪処理装置を開示している。一方の材料は、内側容器内に保持されており、この内側容器は、他方の材料を保持している外側容器内に全体が収容されている。２つの材料を混合するには、内側容器を破裂させてから、第１材料を第２材料内へ送り出すことができるように操作する。外側容器自体は、内部への空気の流入を制御するフラップ弁を有する絞り出しボトル内に全体が入っている。この構造によって、外側容器内の第１および第２材料の混合物を、完全に出し切ることができる。しかし、この構造では、外側容器が空近くなってくると、第１および第２材料の混合物を、いずれの向きにでも送り出すことができなくなる。
【０００６】
実開平７−２２９５１号公報は、ボトル内バッグ形容器（ｂａｇ−ｉｎ−ｂｏｔｔｌｅ ｃｏｎｔａｉｎｅｒ）を開示しており、これは、注ぎ口部または注ぎ口部に取り付けられた櫛部を介して、整髪液を総ての向きに送り出すことができるが、整髪液は、現場で形成されるものではない。
【０００７】
しかし、本発明によれば、毛染め剤用送り出しシステムは、
（ａ）過酸化水素からなる第１材料を保持するための第１容器と、
（ｂ）第２材料を保持するための第２容器とを備えており、第２容器を第１容器に流体連通させて第２材料を第１材料に添加することによって、第１容器内に流動性調合剤を形成することができ、さらに、
（ｃ）放出される流動性調合剤の総てをいずれの向きでも第１容器から放出できるようにするために、圧力差を機械的に発生するユーザ作動式手段を備え、
第１容器は、タンクと、このタンクに流体連通したオリフィスとを含むことができ、オリフィスは、最初は第２材料用の入口として機能し、その後は流動性調合剤用の出口として機能し、実際に第２材料は、第１材料に注ぎ込まれて添加され、
タンクは、第１容器の外側変形可能層から区別された内側コラプス型層を有しており、内側コラプス型層を離層によって外側変形可能層から順次剥離することが可能であり、
内側コラプス型層は、撓みバッグからなり、
オリフィスは、第１容器のネックに嵌め込まれた差込み具を貫通しており、
差込み具は、オリフィスを設けた管状部材を包囲する環状チャネルを有し、環状チャネルは、内側コラプス型層および外側変形可能層間の緩衝領域に空気連通しており、さらに、
（ｄ）第１材料が逃げるのを防止するためのプラグシールを有する第１容器用の取り外し式キャップを備え、この取り外し式キャップは、第１容器のネック上の雄ねじに通気可能にねじ付けられ、環状チャネルから大気に通じる空気路を形成する雌ねじを有している。
【０００８】
本発明は、２成分毛染め液を現場で混合してから、毛染め処理中のいつでも、いずれの向きでも、送り出すことができることは理解されるであろう。
【０００９】
好ましくは、第１容器は、少なくとも一部が透明であるか、または弾性変形可能であるか、あるいはその両方を兼ね備えたプラスチック材料製である。
【００１３】
管状部材が第１容器のネックを越えて第１容器のタンク内へ延出している場合、管状部材の、タンク内にある部分は、差込み具に固定された支持チューブの形をとることができ、このチューブは、横断面で開いて、撓みバッグが収縮する間、流動性調合剤が通ることができる少なくともある程度は剛直なチャネルを形成することができる。
【００１４】
支持チューブは、振ることによって第１および第２材料を混合する間に、撓みバッグを拘束するために、充分な長さを有しており、支持チューブの、差込み具から遠い自由端部が、撓みバッグの、第１容器のネックから遠い自由端部に近接しているが、接触しないようにすることが好ましい。
【００１５】
差込み具は、第１容器のネックに締まりばめすることができ、また、第２容器を第１容器に流体連通させようとする時まで、取り外し式キャップが差込み具内のオリフィスを密閉状に閉鎖することができる。
【００１６】
好ましくは、第１容器からの流動性調合剤の放出を容易にするために、アプリケータを第１容器に固定することができ、このアプリケータは、第１容器の内側コラプス型層の外側の位置への空気の流入と、第１容器の第１コラプス型層の内側の位置からの流動性調合剤の流出との両方を制御することができる一体構造の弁部材を含む。
【００１７】
弁部材の出口部分は、四ローブ形弁（ｑｕａｄｒｏｌｏｂｅ ｖａｌｖｅ）を有し、弁部材の入口部分がフラップ弁（ｆｌａｐｐｅｒ ｖａｌｖｅ）を有しており、フラップ弁は、四ローブ形弁を包囲する環状の形状を有する。
【００１８】
アプリケータが流動性調合剤を送り出す単一の細長通路を有する注ぎ口部である場合、四ローブ形弁は、注ぎ口部の細長通路に対して押し嵌め込み式にすることができ、注ぎ口部自体は、第１容器に対して直接的または（差込み具を介して）間接的の押し嵌め込み式にすることができる。
【００１９】
好ましくは、流動性調合剤を送り出す弾性的に圧縮可能な多孔質構造を有する発泡またはスポンジ材料製のアプリケータも設けられ、これは、注ぎ口部に対して取り外し可能な押し嵌め付け式であるキャリアの一端部またはその付近のパッドの形をとることができる。
【００２０】
特定領域を狙い易くするために、パッドは、キャリアの外周の一部分だけに沿って延在することができる。
【００２１】
好ましくは、支持体から突出した複数の細長パーティング部材を有するアプリケータが設けられ、支持体に流動性調合剤がハウジングから送られ、ハウジングは、注ぎ口部に被せて配置可能であると共に、第１容器に取り外し可能に固定可能である。
【００２２】
ハウジングは、ハウジングが注ぎ口部に被せて配置されている時に、注ぎ口部の自由端部を受け取るガイド管を有する。
【００２３】
細長パーティング部材は、ブラシ形の構造の場合のように可撓性フィラメントにすることができるが、細長パーティング部材の各々が相当に剛直な歯の形をとって櫛形構造を与えることが好ましい。
【００２４】
特にプラスチック材料で成形する時に製造し易くするために、歯は、少なくとも１列に配置することができる。その少なくとも１列の端部から見た時、歯は異なった横方向寸法を有するほぼ三角形の外形を有することができるが、必ずしもそうでなくてもよい。その後の分散を容易にするために、流動性調合剤を歯から送り出してもよく、歯の各々の自由端部に少なくとも１つの出口を設けることができる。
【００２５】
細長パーティング部材および支持体は、ハウジングから取り外し可能に分離可能にすることができる。これによって、複数の支持体を設けて、それから１つをユーザが選択することができ、異なった支持体の細長パーティング部材は、異なったタイプのものである。例えば、相当に剛直な歯を有する櫛形支持体の代わりに、可撓性フィラメントを有するブラシ形支持体を使用することができる。
【００２６】
細長パーティング部材および支持体は、キャッチを含む固定手段によってハウジングに固定可能なユニットとして形成することができる。キャッチは、弾性的に撓み可能であり、ハウジングに貫設された開口に係合可能であることができ、キャッチは、細長パーティング部材から遠い位置で解放可能である。ピボットとして機能するさらなるキャッチを設けることができる。弾性的に撓み可能なキャッチは、指圧による押し除けで解放可能でなければならないが、単にハウジングを硬い表面上で転がして弾性的に撓み可能なキャッチを解放することによって、細長パーティング部材および支持体をハウジングから取り外すことも可能であろう。
【００２７】
組み付けの容易さおよび強度の点から、ハウジングを第１容器に対して取り外し可能なねじ付け式にし、所定の整合位置においてハウジングを第１容器に完全にねじ付けた時に、互いにスナップ式に嵌まり合うラグ手段をハウジングおよび第１容器の両方に形成してもよい。
【００２８】
流動性調合剤は、好ましくはユーザの毛髪または頭皮に塗布するためのものであり、第１および第２材料は、毛染め剤の個別成分であることは理解されるであろう。さらに、複数の第２容器を設けて、それから１つをユーザが選択することができ、第２容器の各々が異なった色調の毛染め液を含むことも理解されるであろう。
【００２９】
次に、一例として添付の図面を参照しながら、本発明に従った毛染め剤用送り出しシステムを詳細に説明する。
【００３０】
添付の図面は、本発明の総ての態様を具現する毛染めキットを示しており、本特許出願および幾つかの同時（contemporaneous）特許出願で保護を求める様々な発明的態様は、流動性調合剤を送り出す際に使用される毛染め剤用送り出しシステムに関する。
【００３１】
流動性調合剤は、毛染め剤である。
【００３２】
毛染め剤の使用には問題が多いであろう。
【００３３】
１つの問題は、使用する直前に、毛染め剤を２種類以上の配合材料から調製しなければならない点にある。これは、ユーザが必要時に配合材料を混合できるようにして、配合材料を個別に保管しなければならないことを意味する。一般的に、配合材料の１つが過酸化水素であり、別の配合材料が染料である。しかし、染料を過酸化水素に添加する時に、汚れる危険がユーザにあってはならない。
【００３４】
別の問題は、毛染め剤は、いずれの角度でもアプリケータで毛髪に塗布できなければならないことである。アプリケータに簡単な絞り出しボトルから供給する場合、絞り出しボトルが満杯である時には、アプリケータはいずれの向きでも即座に使用できるであろう。しかし、絞り出しボトルの中身が徐々に減っていくと、アプリケータをいずれの向きでも直ちに使用することはできなくなり、毛染め剤の吸い戻しの効果を相殺するために、最初に供給準備をする必要があろう。これによって、皮膚の汚れを避けながら特に生え際への毛染め剤の塗布を制御することが困難になる。
【００３５】
本毛染めキットは、使用する直前に毛染め剤を調製することができ、また毛染め剤が機械的に発生する圧力差によって放出され（エアゾールではない）、いずれの向きでも毛染め剤を常に即座に放出することができるユーザ制御式送り出しシステムによって供給されるアプリケータを有することができる。
【００３６】
全方向の送り出しは、好ましくは放出される毛染め剤の総てに可能で、これは、調製された毛染め剤の９０％以上、さらには９５％にすることができる。
【００３７】
本毛染めキットは、さらに、毛染め剤をユーザが調節する量で、アプリケータを介して特定領域に送り出すことによって、最小の汚れで均一な色分布を達成することができるよ
【００３８】
注意深く操作しても、１つのアプリケータで毛染め剤を毛髪の付け根、生え際および大部分（ｔｈｅ ｍａｉｎ ｂｏｄｙ ｏｆ ａ ｈｅａｄ ｏｆ ｈａｉｒ）に塗布するのに等しく適するようなアプリケータはない。従って、線アプリケータ、表面アプリケータおよびブラシ／櫛形アプリケータから選択される異なったタイプのアプリケータを準備するのが一般的である。線アプリケータは、１つの出口を有する注ぎ口部にすることができ、表面アプリケータは、複数の出口を有する多孔質材料製にすることができる。ブラシ／櫛形アプリケータは、毛染め剤を送り出す複数の出口を有することができ、毛染め剤は、次に複数の細長パーティング部材（ｅｌｏｎｇａｔｅ ｐａｒｔｉｎｇ ｍｅｍｂｅｒ）によって分散される。予想されるように、細長パーティング部材は、ブラシの毛または櫛の歯に似ているであろう。異なったタイプの総てのアプリケータは、毛染め剤の容器と流体連通させることができる。
【００３９】
本毛染めキットの具体的利点は以下の通りである。それは、
（ａ）異なったタイプの３つのアプリケータのうちの選択した１つだけを使用中に露出させて、毛髪の処理中に他のアプリケータの内部またはその上に残っている毛染め剤によって汚れが発生する危険性をなくす。
（ｂ）異なったタイプの３つのアプリケータのうちの表面アプリケータは、毛染め剤の拡散を改善するために、弾性的に圧縮可能な多孔質構造を有する発泡、スポンジ材料で形成する。
（ｃ）異なったタイプの３つのアプリケータのうちのブラシ／櫛形アプリケータでは、毛染め剤の分散を改善するために、出口の少なくとも２つがそれぞれ対応の細長パーティング部材に形成されている。
【００４０】
本毛染めキットで可能な他の利点として、一体形弁が空気の流入および毛染め剤の流出を制御する二重機能を同時に果たし、細長パーティング部材の支持体が、毛染め剤から離れた位置で解放可能な少なくとも１つのキャッチによってハウジングに固定されており、線アプリケータを容器に取り付けた状態で、ブラシ／櫛形アプリケータを線アプリケータに被せて配置しながら、それでもなお直接的に容器に取り付けることが可能である。
【００４１】
図１〜図６を参照しながら線アプリケータを組み込んだ毛染め剤用送り出しシステムを説明し、それから図７および図８を参照しながら表面アプリケータを、また図９〜図１２を参照しながらブラシ／櫛形アプリケータを説明する。
【００４２】
ボトル１０に、ほぼ楕円形断面の中空胴部１２を設けることができ、この中空胴部は、下端部が閉鎖され、上端部に開放ネック１４が設けられている。ネックに雄ねじ１６を付けてもよい。さらにネック１４に、１対の対向ラグ手段１８を形成することができ、図１には、その一方だけが示されている。ラグ手段１８の各々は、後述する目的のために、傾斜部２２が接近するギャップ２０を有するのが好ましい。
【００４３】
少なくとも胴部１２を弾性変形可能なプラスチック材料で形成して、ボトル１０が絞り状態から解放された時に迅速に元の形状に戻ることができるようにする。プラスチック材料は、低密度ポリエチレンか、線状低密度ポリエチレン（ＬＬＤＰＥ）か、ポリプロピレンにすることができ、透明でもよい。透明でない場合、プラスチック材料は半透明であることが好ましく、着色しても、しなくてもよい。
【００４４】
同一形状の２枚の重ねシート２６を共通の外周の大部分に沿って密封して、上部開口２８および下部Ｖ字形縁部３０を有する側部密封小袋を形成することによって、撓みバッグ２４を形成することができる。バッグ２４は、過酸化水素からなる第１材料用のタンクを形成し、従って良好な防水性を有していなければならない。各シート２６は、積層金属化材料製にすることができ、好ましくは、ＬＬＤＰＥシーラント／接着剤／金属化ＰＥＴ（ポリエチルテレフタレート）の３層を含む。
【００４５】
バッグ２４をネック１４からボトル１０に挿入することによって、図４に示されているように、緩衝領域３２で互いに分離された外側変形可能な層（胴部１２）および内側コラプス型層（シート２６）を備えた容器を形成することができる。
【００４６】
図４に示されているように、支持チューブ３４を開口２８からバッグ２４に挿入することができる。チューブ３４は、長さ方向に沿って複数の穴３６を有することができ、横断面で開いた少なくともある程度は剛直なチャネルを形成することができる。チューブ３４の下端部３８は、開いても、閉じてもよい。チューブ３４の下端部３８は、バッグ２４に接触していてもよいが、チューブ３４の下端部３８がバッグ２４のＶ字形縁部３０に近接しているが接触していないのがよい。チューブ３４の上端部は、適当な方法または手段で差込み具４０に固定でき、単純に差込み具４０に押し嵌め付けることができる。
【００４７】
差込み具４０は、開口２８からバッグ２４内に部分的に挿入可能であり、またネック１４からボトル１０内にも部分的に挿入可能である。好ましくは、差込み具は、開口２８の周囲でシート２６に熱または超音波溶接などによって、永久的に液密状に固定されている。あるいは、差込み具４０およびバッグ２４を一体構造にすることもできる。差込み具４０は、好ましくは、単純な押し嵌め込み式または他の適当な方法または手段によって、ネック１４に移動不能に固定されるが、詰め替え式のシステムにするために、ユーザが取り外すことができるようにしてもよい。
【００４８】
図２、図４および図６に示されているように、差込み具４０は、オリフィスを形成して側壁４４の中央に延在する管状部材４２と、横行壁４６と１対の対向下部分４８とを有する一体プラスチック成形品にすることができる。
【００４９】
図示のように、ボトル１０内への差込み具４０の挿入を制限するために、側壁４４の上端部に外向きフランジ５０が設けられており、フランジ５０および横行壁４６間のほぼ中間の位置に内向きリブ５２が設けられている。図示のように、管状部材４２および側壁４４間に形成され、従って管状部材４２を包囲している環状チャネル５６に緩衝領域３２を結合するために、横行壁４６に複数の穴５４が貫設されている。対向下部分４８は、中空として図示されており、成形品の沈み込みを防止し、それによってバッグ２４への差込み具４０の液密状固定を容易にする。
【００５０】
管状部材４２の下端部には、チューブ３４の上端部を収容するために、内向きに窪みが設けられており、また、管状部材４２の上端部は、内向きに面取りすることができる。
【００５１】
一般的に、バッグ２４は、過酸化水素からなる第１材料を部分的に充填した状態でユーザに供給される。従って、第１材料がチューブ３４および管状部材４２を通って逃げるのを防止する必要がある。管状部材４２の上端部を閉鎖するために、図２に示されているように取り外し式キャップ５８を設ける。
【００５２】
キャップ５８も一体プラスチック成形品にすることができ、管状部材４２の上端部を密封閉鎖するためのプラグシール６０を有することができる。キャップ５８の固定部分６２は、ボトル１０のネック１４に気密状態に嵌め合わせることができる。しかし、キャップ５８の固定部分６２を非気密状嵌め付け式に形成することに利点がある。例えば、ボトル１０のネック１４上の雄ねじ１６に通気可能にねじ付けられて、環状チャネル５６から大気に通じる空気路を形成する雌ねじ６４を設けることができる。
【００５３】
１つの利点は、バッグ２４内の過酸化水素が不安定になって酸素を発生した場合、バッグ２４が膨張し、緩衝領域３２内の空気が差込み具４０の穴５０を通ってから、ねじ１６および６４の間を逃げることができることである。
【００５４】
別の利点は、緩衝領域３２が例えば空気の移動のために望ましくない圧力変化を受けた場合、やはり空気が上記経路によって緩衝領域３２から逃げるか、そこに流入することができることである。
【００５５】
以上に記載したような毛染めキットは、ユーザが使用の直前に毛染め剤または他の流動性調合剤を調製できるようにする。
【００５６】
実際には、少なくとも第２材料をタンク内の第１材料に添加する。タンクが空の状態で供給されているか、前回の使用で空になっている場合、もちろん最初にある程度の第１材料をタンクに加えることが必要であろう。いずれにしても、最初は分離している材料を混合できるようにする必要がある。
【００５７】
図４に概略的に示されているように、第２材料は、完全に独立的な容器６６内に貯蔵することができる。第１材料が過酸化水素である場合、第２材料は、染料であると思われる。染料が酸素に反応する場合、容器６６は、優れた酸素遮断性を有する必要がある。さらに、染料がゲル、クリームまたはペースト状などの形である場合、例えば、ユーザが染料を絞り出すことができるように、容器６６は、塑性変形可能でなければならないであろう。他方、染料が液状である場合、染料は、重力の作用で容器６６から流出できるであろう。
【００５８】
容器６６が弾性変形可能である場合、バッグ２４は、第１材料の上方の空気で膨張しているのが好ましく、また容器６６が弾性変形できない場合、バッグ２４は、収縮しているのが好ましい。
【００５９】
ユーザに複数の容器６６が供給され、各容器６６は、異なった色調の毛染め剤などの異なった材料を含むことができ、容器６６の１つまたは複数の内容物をタンクに注ぎ込むことによって、特に選択した色調の毛染め剤などの特別な流動性調合剤を形成することができる。
【００６０】
容器６６または複数の容器６６の各々は、管状部材４２を完全に通過してチューブ３４内まで延出することができる長いノズル６８を含むことが望ましい。これによって、ユーザが両手を使用して容器６６を絞り出している時でも、容器６６がボトル１０から分離し難くなるため、良好な連結を得ることができる。また、容器６６の内容物が至近距離から直接的にバッグ２４の内容物内へ噴出されるため、良好な混合を促進することもできる。当然ながら、長いノズル６８を管状部材４２に挿入する前に、容器６６を開口する必要があり、開口は（図４に点線で示されている）ノズルチップ７０を折り取るか、切り取るか、ねじり取ることによって行うことができる。
【００６１】
第２材料を容器６６からバッグ２４に注ぎ込む時、バッグ２４内の第１材料の上方の空気の体積が漸減していき、バッグ２４の膨張を防止するために、そのような圧縮空気の逃げを促進する必要がある。
【００６２】
ノズル６８が管状部材４２に遊嵌されている場合、圧縮空気は、その遊嵌部分から逃げるであろう。あるいは、１つまたは複数の刻み（ｓｐｌｉｎｅ）をノズル６８の長さ方向に沿って形成すること、および１つまたは複数の空気逃がし溝（ｃａｓｔｅｌｌａｔｉｏｎ）をノズル６８の基部付近の染料容器に形成することの両方またはいずれか一方が可能であろう。容器６６内の第２材料の性質およびかさに応じて、圧縮空気を上向きに噴射させて第２材料を通過させることによって、バッグ２４内の空気ポケットが収縮するのに伴って拡張する空気ポケットを、容器６６内に形成することができる。
【００６３】
バッグ２４が膨張する場合でも、前述したように、緩衝領域３２内の空気が差込み具４０の横行壁４６の穴５４を通って逃げるであろう。
【００６４】
充分な第２材料を第１材料に添加した後、容器６６をボトル１０から取り外して、廃棄するか、次回に使用できるように再密封して取っておく。
【００６５】
注ぎ込みによって第２材料を第１材料に添加する代わりに、バッグ２４に形成されるか、その内部に配置されて、ボトル１０の胴部１２の絞りなどによって破壊可能であるか、他の方法で第２材料を第１材料に追加することができる容器に、第２材料を収容することができる。
【００６６】
第２材料を第１材料に添加し終わった時、それらをこの段階でボトル１０を振って混合することが好ましい。振ってい間、ユーザは手袋を嵌めた指を管状部材４２の上端部に当てて、バッグ２４の内容物が逃げないようにすることができるであろう。しかし、ユーザがキャップ５８を再度嵌めて、プラグシール６０が管状部材４２の上端部を閉じるようにする方がさらに好都合であろう。いずれの場合も、ボトル１０を振り動かすか、逆転させるか、またはその両方の間、チューブ３４がバッグ２４を拘束する作用をし、そのためにバッグ２４の内容物がバッグ２４よりも自由に移動することによって、混合が促進される。バッグ２４の容積の約１０％を上部空間として残した場合、振りによる最適混合が生じると考えられる。バッグ２４およびボトル１０の胴部１２の両方が半透明である場合、混合が完了したか否かを目視検査することができる。
【００６７】
第１および第２材料によって形成された流動性調合剤、さらに具体的には過酸化水素および染料によって形成された毛染め剤の放出を準備するために、差込み具４０を再び露出させて、図５および図６に示されているように、注ぎ口部７２を差込み具４０に取り付けることができるようにする。
【００６８】
注ぎ口部７２も一体プラスチック成形品であり、ここでは円筒形部分７４と、それに続くドーム形部分７６と、それに続くテーパ状部分７８とを有する。円筒形部分７４の底端部に、外向きリブ８０が形成されている。円筒形部分７４の上端部は、ドーム形部分７６によって設けられた肩部８２に隣接して形成されている。１つまたは複数、例えば３つの空気入口８４がドーム形部分７６に貫設され、これらは、ドーム形部分７６周りに円周方向に等間隔に配置することができる。テーパ状部分７８に細長い通路８６が画成されており、これは、その長さ方向に沿って大きい下端部から小さい上端部の単一出口８８まで徐々に狭くなっている。通路８６の大きい下端部付近において、テーパ状部分７８の内表面に、環状リセス９０が形成されている。通路８６の小さい上端部付近において、テーパ状部分７８の外表面に、環状リブ９２が形成されている。
【００６９】
シリコーンポリマー製にすることができると共に一体構造にすることができる弁部材９４を、注ぎ口部７２に取り付けることができる。
【００７０】
弁部材９４は、空気入口８４からの空気の流入を制御するための一方向チェック弁として機能する環状フラップ弁（ｆｌａｐｐｅｒ ｖａｌｖｅ）９６の形の入口部分を含むのが好ましい。
【００７１】
弁部材９４は、さらに、通路８６からの毛染め剤の流出を制御するための一方向チェック弁として機能する中央四ローブ形弁（ｃｅｎｔｒａｌ ｑｕａｄｒｏｌｏｂｅ ｖａｌｖｅ）９８の形の出口部分を含むのが好ましい。四ローブ形弁９８が好適であるのは、側部ではなく中央から開放するために、毛染め剤の流れをさらに円滑にするからである。しかし、四ローブ形弁９８の変更例として、弁部材９４の出口部分をフラップ弁、傘形弁（ｕｍｂｒｅｌｌａ ｖａｌｖｅ）またはダックビル弁（ｄｕｃｋｂｉｌｌ ｖａｌｖｅ）にすることもできる。
【００７２】
フラップ弁９６および四ローブ形弁９８は、横行シール壁１００および円錐台形位置決め壁１０２を含み、この壁１０２の外表面に環状リブ１０４が設けられている。
【００７３】
弁部材９４上の環状リブ１０４が注ぎ口部７２内の環状リセス９０に係合するまで、四ローブ形弁９８を通路８６に押し込むことによって、弁部材９４は、注ぎ口部７２に容易に取り付けられる。
【００７４】
次に、注ぎ口部７２の環状部分７４のリブ８０が差込み具４０のリブ５２を越えてカチッという音か、少なくともその感触を伴ってスナップ式に嵌まるまで、注ぎ口部７２の円筒形部分７４を差込み具４０の環状チャネル５６に押し込むことによって、注ぎ口部７２は、差込み具４０に容易に取り付けられ、この時、注ぎ口部７２の肩部８２が差込み具４０のフランジ４０に当接し、弁部材９４のシール壁１００が差込み具４０の管状部材４２の上端部に密封係合する。
【００７５】
変更形の構造では、上記の押し嵌め付け式ではなく、ねじ付け式に注ぎ口部７２を差込み具４０に取り付けることができる。
【００７６】
注ぎ口部７２を差込み具４０に取り付けた後にボトル１０を振って、流動性調合剤を混合または再混合することができる。
【００７７】
毛染め剤をバッグ２４から注ぎ口部７２の出口８８へ送り出し、そこから毛染め剤を頭髪の付け根などに線状に放出するために、ユーザは、ボトル１０の胴部１２を絞る。これにより、緩衝領域３２内の空気は圧縮されるが、この圧縮空気は、フラップ弁９６が空気入口８４を閉じる作用をするため、穴５４、環状チャネル５６および空気入口８４を含む流体通路を通って逃げることができない。代わりに、圧縮空気は、バッグ２４を部分的に収縮させるため、一部の毛染め剤がチューブ３４、管状部材４２、円錐台形位置決め壁１０２、および毛染め剤を放出できるように開放した四ローブ形弁９８を含む流体通路を通って押し出される。ユーザがボトル１０の胴部１２の絞りを停止すると、ボトル１０は、迅速に元の形状に戻り、緩衝領域３２が拡張する。四ローブ形弁９８を閉じることによって、毛染め剤は、四ローブ形弁９８を越えて吸い戻されることが防止され、バッグ２４は、部分的にその圧縮された状態を維持する。代わりに、空気入口８４から空気を流入させるように開放したフラップ弁９６を通って、緩衝領域３２内へ空気が吸い込まれる。
【００７８】
ユーザは、状況に適すると考えられる圧力および頻度で、ボトル１０の胴部１２の絞りを繰り返す。
【００７９】
バッグ２４が徐々に収縮してバッグ２４のシート２６が互いに接触した時に毛染め剤が捕らえられることをチューブ３４の穴３６が防止することができ、また、チューブ３４自体も収縮して、チューブ３４内の流動性調合剤を放出できるようにすることは理解されるであろう。
【００８０】
毛染め剤を送り出す時、ユーザは、少なくとも半透明の胴部１２を通して、バッグ２４が収縮していることを見ることができるであろう。このことは、毛染め剤がいきなり流れ出ることを恐れるユーザを安心させるであろう。
【００８１】
第１材料用のタンクは、前述したような側部密閉形小袋でよいが、タンクは、他の形をとることもでき、例えば、バッグ半反転形ボトル（ｉｎｖｅｒｔｉｎｇ−ｈａｌｆ−ｂａｇ ｂｏｔｔｌｅ）または離層式ボトル（ｄｅｌａｍｉｎａｔｉｎｇ ｂｏｔｔｌｅ）によって、または差込み具と一体成形された圧縮吹き出しバッグ（ｃｏｍｐｒｅｓｓｉｏｎ ｂｌｏｗｎ ｂａｇ）によって、外側変形可能層から区別された内側収縮可能層を設けることもでき、離層式ボトルの場合、ネックから順次剥離することが好ましい。
【００８２】
さらに、前述したように、弁部材は、一体構造であるが二重機能を有することができるが、また、弁部材は、他の形式をとることもでき、例えば、毛染め剤の流出および空気の流入の制御用に、個別の弁を設けることができ、空気の流入用は、おそらくはボトルの胴部に設けられてユーザが指で閉じる単純な空気穴である。
【００８３】
次に図７および図８を参照すると、表面アプリケータ１０６は、注ぎ口部７２の出口８８に被せて取り外し可能に固定されている。さらに具体的に言うと、表面アプリケータ１０６は、弾性的に圧縮可能な多孔質構造を有する発泡、スポンジ材料のパッド１０８を含むことができる。そのような構造は、複数の出口を有するだけでなく、出口８８から出た毛染め剤がパッド１０８を通過して、注意深く操作することによって生え際に沿って均一に拡散させることができるようにする。パッド１０８は、キャリア１１０の上端部またはその付近に配置でき、キャリア１１０の下半分は、小さい上端部から大きい下端部に続く方向に円錐台をなしている。キャリア１１０の下半分の内表面に環状リセス１１２を設けて、キャリア１１０を注ぎ口部７２上に押し付ける時、注ぎ口部７２上の環状リブ９２に離脱可能に係合させることができる。キャリア１１０および注ぎ口部７２は、相対回転を阻止できる相互構造を有することができる。正確な塗布を容易にするために、パッド１０８は、湾曲面を有することができ、湾曲面は、キャリア１１０の上半分の円周の一部分だけに沿って延在している。パッド１０８がプラスチック材料製であり、キャリア１１０もプラスチック材料製である場合、接着剤を使用してパッド１０８をキャリア１１０に固定することができる。当然ながら、元の表面アプリケータ１０６が洗浄して再利用するものでない場合、使い捨て用であれば同様の、交換式であれば異なった一連の表面アプリケータ１０６を設けることができる。
【００８４】
図９〜図１２に示されているように、表面アプリケータ１０６の代わりに、ブラシ／櫛形アプリケータ１１４を注ぎ口部７２の出口８８に被せて取り外し可能に固定することができ、ブラシ／櫛形アプリケータ１１４は、ハウジング１１６と取り外し式ユニット１１８とを含む。
【００８５】
ブラシ／櫛形アプリケータ１１４は、ネック１４に、ねじ付け式またはスナップ式に嵌めることができる。
【００８６】
ハウジング１１６も一体プラスチック成形品であり、上部から見ていくと、開口１２０と、一連のスロット付きウェブ１２４を両側の主側壁に設けたテーパ状開放室１２２と、室１２８を室１２２に開放連通させるガイド管１２６と、室１２８の上端部のスロット１３０と、室１２８の下端部付近の雌ねじ１３２と、室１２８の下端部の１対の対向ラグ手段１３４とを形成している。
【００８７】
雌ねじ１３２は、ねじることなく型から取り出し可能であることが好ましい。
【００８８】
室１２８内の雌ねじ１３２をネック１４の雄ねじ１６に係合させることによって、ハウジング１１６をボトル１０に取り外し可能にねじ付けることができる。ハウジング１１６を順次ねじ付けていくと、注ぎ口部７２の出口８８がガイド管１２６に入る。最終的に、ラグ手段１３４がラグ手段１８の傾斜部２２に沿ってカム移動して、ラグ手段１８のギャップ２０にスナップ式に嵌まる。スナップ式に嵌まる時にカチッという音か、少なくともその感触が得られて、ハウジング１１６がボトル１０に完全にねじ付けられたことを表す。この最終位置で、ラグ手段１８および１３２が互いに噛み合った状態において、胴部１２の断面がほぼ楕円形であることを思い出すと、室１２２は、胴部１２の長軸の方向に開口する。
【００８９】
取り外し式ユニット１１８は、本毛染めキットの最後の構成部品であるが、摩擦係数を低くするためにシリコーンなどを添加したポリプロピレンなどのプラスチック材料から、やはり一体成形品として形成することができる。
【００９０】
取り外し式ユニット１１８を少なくとも部分的に半透明にすることによって、流動性調合剤がまさに送り出されようとしていることをユーザに知らせることができる。
【００９１】
ユニット１１８は、ほぼ平坦で狭い上端部から広い下端部まで徐々にテーパを付けた支持体１３６を含む。狭い上端部には、弾性的に撓み可能なキャッチ１３８が延出し、そこから逆とげ状の先端部１３８ａが伸びている。広い下端部から剛直キャッチ１４０が延出し、そこから逆とげ状の先端部１４０ａが伸びている。支持体１３６の周囲には、室１２２の開口に対応した外形を有するスカート１４２が形成されている。相当に剛直な歯１４４などの複数の細長パーティング部材が支持体１３６から弾性的に撓み可能なキャッチ１３８、剛直キャッチ１４０およびスカート１４２と逆の方向に突出している。流動性調合剤用の複数の出口１４６を支持体１３６に貫設することができる。
【００９２】
図９に最も分かり易く示されているように、歯１４４は、２列に配置することができる。２列の端部から見た時、歯１４４は、異なった横方向寸法を有するほぼ三角形の外形を有することができるが、必ずしもそうでなくてもよい。歯１４４の横方向寸法は、支持体１３６の狭い上端部から支持体１３６の広い下端部まで徐々に増加することができる。さらに、異なった列の歯１４４を互い違いに配置し、やはりほぼ三角形の外形を有するが、この時には、２列の側部から見た時にほぼ同様の厚さであるようにすることもできる。
【００９３】
図１１に最も分かり易く示されているように、出口１４６の少なくとも２つ、おそらくは総てが、さらにそれぞれの歯１４４を貫通している。しかし、出口１４６の１つまたは複数は、歯１４４を貫通しないことが望ましいであろう。例えば、少なくとも１つの出口１４６を、隣接した歯１４４の間で支持体１３６に設けることができる。歯１４４を貫通している出口１４６の少なくとも２つ、おそらくは総てが、歯１４４の自由端部のオリフィス１４８で露出することができる。
【００９４】
実際に、オリフィス１４８が歯１４４の自由端部にあると述べるのは簡便であるが、１つには直接的に頭皮を覆うのを避けるため、また１つには、サイドピンを必要としないで簡単な２部材式型によってオリフィス１４８を形成できるようにする通過面遮断技術（ｐａｓｓｉｎｇ ｆａｃｅ ｓｈｕｔ ｏｆｆ ｔｅｃｈｎｉｑｕｅ）として知られる好適な成形技術の結果として、オリフィス１４８は、歯１４４の自由端部から僅かに後退した位置にある。
【００９５】
ユニット１１８をハウジング１１６に組み付けるには、剛直キャッチ１４０の逆とげ状の先端部１４０ａをスロット１３０に嵌めてから回動させるだけでよい。これによって、スカート１４２の自由縁部をスロット付きウェブ１２４に係合させることができると共に、キャッチ１３８の逆とげ状先端部１３８ａを撓ませて、キャッチ１３８を開口１２０に嵌め込むことができる。キャッチ１３８の逆とげ状先端部１３８ａが開口１２０から現れて開口１２０の周囲のハウジング１１６の材料にスナップ式に係合した時、ユニット１１８は、ハウジング１１６に完全に固定される。
【００９６】
ユニット１１８をハウジング１１６から取り外すためには、逆の手順に従う。キャッチ１３８は、指圧によって押し除けることによって解放することができる。あるいは、ハウジング１１６を硬い表面上で転がして、硬い表面がキャッチ１３８の逆とげ状先端部１３８ａを開口１２０内へ押し返すことによって、キャッチ１３８を解放することも可能である。キャッチ１３８の解放がオリフィス１４８から遠い位置で行われることが理解されるであろう。
【００９７】
ユニット１１８をハウジング１１６から取り外す１つの理由は、残留毛染め剤を洗浄し易くすることであろう。
【００９８】
ユニット１１８をハウジング１１６から取り外す別の理由は、異なったタイプの別のユニット１１８と交換できるようにすることであろう。例えば、櫛形構造を有する相当に剛直な歯１４４を、複数の弾性的に撓み可能な毛を有するブラシ形構造か、スポンジ状構造か、寸法および形状の両方またはいずれか一方が異なった歯およびオリフィスの両方またはいずれか一方を有する別の櫛形構造と取り替えることが望ましいであろう。これは、異なった毛髪長さまたは異なった毛髪タイプなどの異なった状況において送り出し毛染め剤を完全に分散させやすくするであろう。
【００９９】
オリフィス１４８の寸法、位置および形状は、毛染め剤の流動性に、または付け根の被覆、ストリーキング（ｓｔｒｅａｋｉｎｇ）またはハイライト付けなどの異なった毛染め結果の必要に応じて個々のユニット１１８で変更されるであろう。
【０１００】
一般的なこととして、本明細書の総てに関して、第１材料を内包すべき第１容器は、異なるアプリケータの如何なる一つと、あるいはそれらの組み合わせと嵌め合わされる時に、ボトルを含むものとして解釈し得る。
【０１０１】
他の一般的なこととして、本明細書の総てに関して、流動性調合剤は、擬塑性流動性を実証し得るものであり、この意味する所は、剪断作用を受けると、この流動性調合剤の粘度が減少し、一旦剪断作用が止まると、（当初の粘度に反応し得る）流動性調合剤の内部構造が非常に素早く再構築され、当初の粘度の内部構造に到達するように粘度を増加させる。
【０１０２】
流動性調合剤は、０．０１ｓ−１ 〜１００００ｓ−１ の剪断ひずみ速度の範囲内で、上述した擬塑性流動性を発揮し得るものであり、このような範囲は、流動性調合剤が毛染め剤である際に利用し得る最も有望な剪断ひずみ速度範囲である。
【０１０３】
流動性調合剤の一例では、２０００ｓ−１ の剪断ひずみ速度で測定した時に０．０１Ｐａ．ｓ以上（好ましくは０．１５Ｐａ．ｓ以上）、１０ｓ−１ の剪断ひずみ速度で測定した時に５Ｐａ．ｓ以下（好ましくは１．４Ｐａ．ｓ以下）の粘度を有することができる。
【図面の簡単な説明】
【図１】本発明を具現する毛染めキットの構成部材であるキャップ、ボトル、撓みバッグ、支持チューブ、差込み具、弁、注ぎ口部、スポンジパッド、櫛型ハウジングおよび櫛部の分解斜視図である。
【図２】ボトルに固定された時のキャップを示す破断拡大断面図である。
【図３】差込み具の平面図である。
【図４】染料容器内の染料を撓みバッグに添加できるように差込み具に連結されている時の染料容器を示す、図２の断面図に直交する方向の概略的断面図である。
【図５】ボトルに固定された時の注ぎ口部を示す斜視図である。
【図６】図５の破断拡大断面図である。
【図７】注ぎ口部に固定した時のスポンジパッドを示す図５と同様な斜視図である。
【図８】図７の断面図である。
【図９】櫛部が櫛型ハウジングに固定されている、ボトルに固定された時の櫛型ハウジングを示す斜視図である。
【図１０】図９の断面図である。
【図１１】互いに固定する前の櫛部の断面図である。
【図１２】互いに固定する前の櫛型ハウジングの断面図である。
【図１】
0003630233.tif 000002
【図２】
0003630233.tif 000003
【図３】
0003630233.tif 000004
【図４】
0003630233.tif 000005
【図５】
0003630233.tif 000006
【図６】
0003630233.tif 000007
【図７】
0003630233.tif 000008
【図８】
0003630233.tif 000009
【図９】
0003630233.tif 000010
【図１０】
0003630233.tif 000011
【図１１】
0003630233.tif 000012
【図１２】
0003630233.tif 000013